(57)【要約】【課題】容易にカットされ得、開封性に優れる易カット性フィルムを提供すること。【解決手段】本発明の易カットフィルムは、長さ方向の少なくとも一方の端辺に易カット構造を有し、該易カット構造が、長さ方向内側に凸となる複数のＶ字状の構成単位Ａを連結して構成されるジグザク形状を有し、かつ、該Ｖ字状の構成単位Ａの頂点から長さ方向に延びる切り込み線を有する。【選択図】図１
2019064625.tif 000002
【特許請求の範囲】
【請求項１】
長さ方向の少なくとも一方の端辺に易カット構造を有し、
該易カット構造が、長さ方向内側に凸となる複数のＶ字状の構成単位Ａを連結して構成されるジグザク形状を有し、かつ、該Ｖ字状の構成単位Ａの頂点から長さ方向に延びる切り込み線を有する、
易カットフィルム。
【請求項２】
前記Ｖ字状の構成単位Ａの頂点の角度ｘが、１００°〜１７０°である、請求項１に記載の易カットフィルム。
【請求項３】
前記切り込み線の長さが、０．１ｍｍ〜２ｍｍである、請求項１または２に記載の易カットフィルム。
【請求項４】
長尺状の易カットフィルムであって、
幅方向に延びるミシン目を有し、
該ミシン目が、間隔をおいて配列される複数の折れ線状切り込み線ｂから構成され、
該折れ線状切り込み線の各頂点の凸側で、該頂点から長さ方向に延びるＩ字状切り込み線Ｃが形成されている、
易カットフィルム。
【請求項５】
前記折れ線状切り込み線ｂの頂点の角度ｘｂが、１００°〜１７０°である、請求項４に記載の易カットフィルム。
【請求項６】
隣り合う前記折れ線状切り込み線ｂの間隔が、０．１ｍｍ〜５ｍｍである、請求項４または５に記載の易カットフィルム。
【請求項７】
前記Ｉ字状切り込み線Ｃの長さが、０．１ｍｍ〜２ｍｍである、請求項４から６のいずれかに記載の易カットフィルム。
【請求項８】
請求項４から７のいずれかに記載の長尺状の易カットフィルムを、前記ミシン目に沿って分離することを含む、請求項１から３のいずれかに記載の易カットフィルムの製造方法。
【発明の詳細な説明】
【技術分野】
【０００１】
本発明は、易カットフィルムに関する。
【背景技術】
【０００２】
従来より、イチゴ等の青果を販売する際、トレーに収納した青果を透明なフィルムで覆うことが行われている。このとき、該フィルムは、その幅方向端部をトレーに貼着して用いられ、搬送時等に該フィルムが不要に脱離することが防止される。フィルムの貼着には、例えば、粘着剤、粘着テープ等が多用される。一方、青果をトレーから取出す際には、粘着剤等により貼着された部分からフィルムを剥がして、開封する。しかしながら、フィルムを剥がすことを伴う開封作業は、手間がかかる、トレーを転倒させることがある、収納された青果が飛び出す等、作業性に難点がある。このような事情から、開封性に優れるフィルムが求められている。
【先行技術文献】
【特許文献】
【０００３】
【特許文献１】特開平１−３６７７５号公報
【特許文献２】特開２０１２−５６６０２号公報
【発明の概要】
【発明が解決しようとする課題】
【０００４】
本発明は上記従来の課題を解決するためになされたものであり、その目的とするところは、容易にカットされ得、開封性に優れる易カット性フィルムを提供することにある。
【課題を解決するための手段】
【０００５】
本発明の易カットフィルムは、長さ方向の少なくとも一方の端辺に易カット構造を有し、該易カット構造が、長さ方向内側に凸となる複数のＶ字状の構成単位Ａを連結して構成されるジグザク形状を有し、かつ、該Ｖ字状の構成単位Ａの頂点から長さ方向に延びる切り込み線を有する。
１つの実施形態においては、上記Ｖ字状の構成単位Ａの頂点の角度ｘが、１００°〜１７０°である。
１つの実施形態においては、上記切り込み線の長さが、０．１ｍｍ〜２ｍｍである。
本発明の別の局面によれば、長尺状易カットフィルムが提供される。この長尺状易カットフィルムは、  幅方向に延びるミシン目を有し、該ミシン目が、間隔をおいて配列される複数の折れ線状切り込み線ｂから構成され、該折れ線状切り込み線の各頂点の凸側で、該頂点から長さ方向に延びるＩ字状切り込み線Ｃが形成されている。
１つの実施形態においては、上記折れ線状切り込み線ｂの頂点の角度ｘｂが、１００°〜１７０°である。
１つの実施形態においては、隣り合う上記折れ線状切り込み線ｂの間隔が、０．１ｍｍ〜５ｍｍである。
１つの実施形態においては、上記Ｉ字状切り込み線Ｃの長さが、０．１ｍｍ〜２ｍｍである。
本発明のさらに別の局面によれば、易カットフィルムの製造方法が提供される。この製造方法は、上記長尺状易カットフィルムを、上記ミシン目に沿って分離することを含む。
【発明の効果】
【０００６】
本発明によれば、特定構造の易カット構造を設けることにより、容易にカットすることができる易カット性フィルムを提供することができる。本発明の易カット性フィルムは、カットを要する場面では容易にカットし得る一方、カットを要さない場面での不要なカットを防止することができる。
【図面の簡単な説明】
【０００７】
【図１】本発明の１つの実施形態による易カットフィルムの概略平面図である。
【図２】本発明の１つの実施形態による易カットフィルムが備える易カット構造の一部拡大図である。
【図３】本発明の１つの実施形態による易カットフィルムの使用方法の一例を示す図である。
【図４】本発明の別の実施形態による易カットフィルムの易カット構造の一部拡大図である。
【図５】本発明の１つの実施形態による易カットフィルムの概略平面図である。
【図６】本発明の１つの実施形態による易カットフィルムが備えるミシン目の一部拡大図である。
【図７】（ａ）および（ｂ）は、本発明の１つの実施形態による易カットフィルムが備えるミシン目の一部拡大図である。
【図８】本発明の別の実施形態による易カットフィルムミシン目Ｂの一部拡大図である。
【発明を実施するための形態】
【０００８】
Ａ．易カットフィルム（枚葉）
図１は、本発明の１つの実施形態による易カットフィルムの概略平面図である。この実施形態による易カットフィルム１０は、長さ方向Ｙの少なくとも一方の端辺（図示例では両端辺）に、易カット構造を有する。図２は、該易カット構造の一部拡大図である。易カットフィルム１０が有する易カット構造は、長さ方向内側に凸となる複数のＶ字状（平面視においてＶ字状）の構成単位Ａを連結して構成されるジグザク形状を有し、かつ、該Ｖ字状の構成単位Ａの頂点から長さ方向に延びる切り込み線１１を有する。
【０００９】
本発明の易カットフィルムは、上記構成の易カット構造を有することにより、Ｖ字状の構成単位Ａの頂点から延びる切り込み線１１をきっかけにして、該易カットフィルムの長さ方向に容易にカット（手切り）することができる。また、上記易カット構造を有する本発明の易カットフィルムは、人が該易カットフィルムをカットしようと操作しない場合には、不要に裂けることが防止され得るという特徴を有する。例えば、上記易カットフィルムにより包装された商品（例えば、青果）を搬送する場合には、搬送時における易カットフィルムの不要な裂けが防止され得る。
【００１０】
図３は、本発明の１つの実施形態による易カットフィルムの使用方法の一例を示す図である。本発明の易カットフィルムは、ラッピングフィルムとして、トレー２０に収納された収納物（例えば、イチゴ等の青果）を覆うように包装する際に用いられ得る。１つの実施形態においては、易カットフィルム１０の幅方向Ｘの端部に粘着剤層を設け、粘着剤層を介して、易カットフィルム１０とトレー２０とが貼り合わされる。この状態で、上記収納物は搬送され、店頭販売等され得る。そして、収納物を取出す際には、易カットフィルム１０を、上記のようにして、長さ方向Ｙに向けてカットし、開封する。本発明の易カットフィルムは、刃物等の道具を用いることなく容易に開封され得、かつ、粘着部を剥がすよりも格段に作業性よく開封され得る。
【００１１】
上記Ｖ字状の構成単位Ａの頂点の角度ｘ（図２の角度ｘ）は、好ましくは１００°〜１７０°であり、より好ましくは１２０°〜１６０°であり、さらに好ましくは１３０°〜１５０°である。このような範囲であれば、容易にカットすることができ、かつ、不要な破断が防止された易カットフィルムを得ることができる。角度ｘが１００°未満の場合、不要な破断、具体的には、包装・運搬時における不要な破断が生じやすくなる。また、角度ｘが１７０°を超えると、カット性が悪化する場合がある。
【００１２】
上記Ｖ字状の構成単位Ａの連結部において隣り合う線がなす角度ｘ２（図２の角度ｘ２）は、好ましくは１００°〜１７０°であり、より好ましくは１２０°〜１６０°であり、さらに好ましくは１３０°〜１５０°である。このような範囲であれば、本発明の上記効果はより顕著となる。
【００１３】
上記Ｖ字状の構成単位Ａの幅Ｗ（図２の幅Ｗ）は、好ましくは３ｍｍ〜２０ｍｍであり、より好ましくは４ｍｍ〜１５ｍｍであり、さらに好ましくは５ｍｍ〜１０ｍｍである。このような範囲であれば、本発明の上記効果はより顕著となる。
【００１４】
上記Ｖ字状の構成単位Ａの高さｈ（図２の高さｈ）は、好ましくは０．５ｍｍ〜８ｍｍであり、より好ましくは１ｍｍ〜４ｍｍである。このような範囲であれば、本発明の上記効果はより顕著となる。
【００１５】
図４は、本発明の別の実施形態による易カットフィルムの易カット構造の一部拡大図である。この実施形態による易カットフィルムは、長さ方向のＹの少なくとも一方の端辺に、長さ方向内側に凸となる複数のＵ字状（平面視においてＵ字状）の構成単位Ａ’を連結して構成される波状の易カット構造を有する。該易カット構造は、構成単位Ａ’の頂点から長さ方向に延びる切り込み線１１を有する。このような構成の易カット構造を有する易カットフィルムもまた、切り込み線１１をきっかけにして、該易カットフィルムの長さ方向に容易にカット（手切り）することができる。
【００１６】
上記Ｕ字状の構成単位Ａ’の幅Ｗ’（図４の幅Ｗ’）は、好ましくは１．５ｍｍ〜２０ｍｍであり、より好ましくは２ｍｍ〜１５ｍｍであり、さらに好ましくは２ｍｍ〜１０ｍｍである。このような範囲であれば、本発明の上記効果はより顕著となる。
【００１７】
上記Ｕ字状構成単位Ａ’の高さｈ’（図４の高さｈ’）は、好ましくは０．１ｍｍ〜１５ｍｍであり、より好ましくは０．２ｍｍ〜１０ｍｍであり、さらに好ましくは０．３ｍｍ〜５ｍｍである。このような範囲であれば、本発明の上記効果はより顕著となる。
【００１８】
上記易カット構造は、長さ方向Ｙの少なくとも一方の端辺において、幅方向全域に形成されていてもよく、幅方向の一部に形成されていてもよい。１つの実施形態においては、易カット構造の長さは、易カットフィルムの幅に対して、５％〜１００％（好ましくは２０％〜１００％、より好ましくは５０％〜１００％）である。より好ましくは、図１に示すように、易カット構造は、長さ方向Ｙの少なくとも一方の端辺において、幅方向全域に形成される。このようにすれば、長さ方向端辺の任意の場所でカット（開封）可能な易カットフィルムとすることができる。本発明の易カットフィルムは、上記のとおり、搬送時等の不要な裂けが防止されるため、広範囲に易カット構造を形成しても、特段の不具合なく使用され得る。
【００１９】
上記切り込み線１１の長さは、好ましくは０．１ｍｍ〜２ｍｍであり、より好ましくは０．２ｍｍ〜１ｍｍである。このような範囲であれば、本発明の上記効果はより顕著となる。
【００２０】
上記易カットフィルムを構成する材料としては、任意の適切な樹脂フィルムが用いられる。好ましくは、透明樹脂フィルムが用いられる。樹脂フィルムを形成する樹脂としては、例えば、ポリスチレン、ポリプロピレン等が挙げられる。
【００２１】
１つの実施形態においては、上記易カットフィルム幅方向端部に粘着部を有する。粘着部は、易カットフィルムの幅方向端部の片面において、長さ方向全域または長さ方向の一部に、粘着層を形成することにより設けられ得る。該粘着層を構成する粘着剤としては、アクリル系粘着剤、ゴム系粘着剤、シリコン系粘着剤等が挙げられる。ラッピングフィルムとして易カットフィルムを用いる場合、粘着層を介して、易カットフィルムとトレーとを固定することができる。
【００２２】
上記粘着部のＳＵＳ板に対する粘着力は、好ましくは５Ｎ／１０ｍｍ以上であり、より好ましくは１０Ｎ／１０ｍｍ〜２０Ｎ／１０ｍｍである。本発明の易カットフィルムは、ラッピングフィルムとして用いたときの開封の際、粘着部から該フィルムを剥がす必要がないため、粘着部の粘着力を高くすることができる。その結果、易カットフィルムとトレーとを強固に貼り合せることができ、易カットフィルムがトレーから不要に脱離することが防止され得る。粘着力は、ＪＩＳ  ｚ  ０２３７に準拠した１８０°剥離法（測定温度２３℃）により測定することができる。
【００２３】
Ｂ．長尺状易カットフィルム
図５は、本発明の１つの実施形態による易カットフィルムの概略平面図である。この実施形態の易カットフィルム１００は長尺状である。易カットフィルム１００は、幅方向に延びるミシン目Ｂを有する。好ましくは、ミシン目Ｂは、易カットフィルム１００の幅方向の一方端から他方端まで延びている。図６は、１つの実施形態によるミシン目Ｂの一部拡大図である。ミシン目Ｂは、間隔をおいて配列される複数の折れ線状切り込み線ｂから構成されている（なお、図５においては、見やすくするため、折れ線状切り込み線の間隔の図示は省略されていることに留意されたい）。また、長尺状易カットフィルム１００においては、折れ線状切り込み線ｂの各頂点の凸側で、該頂点から長さ方向に延びるＩ字状切り込み線Ｃが形成されている。ミシン目Ｂは、所定の間隔をおいて、易カットフィルム１００の長さ方向に複数本配列され得る。なお、本明細書において「長尺状」とは、幅に対して長さが十分に長い細長形状を意味し、例えば、幅に対して長さが５倍以上、好ましくは１０倍以上、より好ましくは２０倍以上の細長形状を含む。
【００２４】
上記ミシン目Ｂを構成する折れ線状切り込み線ｂの集合は、ジグザク状の１本線（以下、仮想ジグザク線ともいう）を分断して形成したような形状を有する。１つの実施形態においては、図６に示すように、折れ線状切り込み線ｂは、Ｗ字状である。折れ線状切り込み線ｂの形状の他の例としては、図７（ａ）に示すようなＶ字状、図７（ｂ）に示すような鉤状（Ｌ字状の組み合わせ）等が挙げられる。
【００２５】
上記折れ線状切り込み線ｂの頂点の角度ｘｂ（図６の角度ｘｂ）は、好ましくは１００°〜１７０°であり、より好ましくは１２０°〜１６０°であり、さらに好ましくは１３０°〜１５０°である。このような範囲であれば、本発明の上記効果はより顕著となる。
【００２６】
隣り合う上記折れ線状切り込み線ｂの間隔は、好ましくは０．１ｍｍ〜５ｍｍであり、より好ましくは０．２ｍｍ〜３ｍｍであり、さらに好ましくは０．３ｍｍ〜１ｍｍである。このような範囲であれば、本発明の上記効果はより顕著となる。
【００２７】
上記Ｉ字状切り込み線Ｃの長さは、好ましくは０．１ｍｍ〜２ｍｍであり、より好ましくは０．２ｍｍ〜１ｍｍである。このような範囲であれば、本発明の上記効果はより顕著となる。
【００２８】
上記折れ線状切り込み線ｂの幅Ｗｂ（図６の幅Ｗｂ）は、好ましくは２ｍｍ〜６ｍｍであり、より好ましくは３ｍｍ〜５ｍｍである。
【００２９】
上記仮想ジグザク線において、頂点間の長さｌ（図６の長さｌ）は、好ましくは１ｍｍ〜１０ｍｍであり、より好ましくは２ｍｍ〜８ｍｍであり、さらに好ましくは３ｍｍ〜６ｍｍである。このような範囲であれば、本発明の上記効果はより顕著となる。
【００３０】
上記仮想ジグザク線の高さｈｂ（図６の高さｈｂ）は、好ましくは０．５ｍｍ〜８ｍｍであり、より好ましくは１ｍｍ〜４ｍｍである。このような範囲であれば、本発明の上記効果はより顕著となる。
【００３１】
上記長尺状の易カットフィルム１００は、ミシン目Ｂに沿ってフィルム片１０に分離され得る。分離して得られたフィルム片１０は、上記Ａ項で説明した枚葉の易カットフィルム１０となる。枚葉の易カットフィルム１０が有する易カット構造は、ミシン目Ｂに由来して形成される。より詳細には、長尺状の易カットフィルム１００の折れ線状切り込み線ｂは、上記分離の結果、枚葉の易カットフィルム１０の易カット構造を構成するＶ字状の構成単位Ａの一部となる。また、長尺状の易カットフィルム１００のＩ字状切り込み線Ｃは、分離の結果、枚葉の易カットフィルム１０の切り込み線１１となる。
【００３２】
上記長尺状の易カットフィルム１００は、上記構造のミシン目Ｂを有することにより、所望とする方向（すなわち、ミシン目Ｂに沿った方向）に容易、かつ、ミシン目方向以外の方向に裂ける等の不具合なく、フィルム片１０に分離することができる。また、得られたフィルム片（すなわち、枚葉の易カットフィルム）１０は、上記Ａ項で説明したように、所定の易カット構造を有し、作業性よくカットすることができる。
【００３３】
上記ミシン目は、間隔を置いて配列される複数の波状切り込み線から構成されていてもよい。  図８は、本発明の別の実施形態によるミシン目の一部拡大図である。この実施形態においては、ミシン目（便宜上、ミシン目Ｂ’とする）が、間隔を置いて配列される複数の波状切り込み線ｂ’から構成されている。長尺状易カットフィルムにおいては、波状切り込み線ｂ’の各頂点の凸側で、該頂点から長さ方向に延びるＩ字状切り込み線Ｃが形成されている。ミシン目Ｂ’は、所定の間隔をおいて、易カットフィルムの長さ方向に複数本配列され得る。ミシン目Ｂ’を構成する波状切り込み線ｂ’の集合は、波状の１本線（以下、仮想波状１本線ともいう）を分断して形成したような形状を有する。このようなミシン目Ｂ’を有する長尺状の易カットフィルムにおいても、長尺状の易カットフィルムは、ミシン目Ｂ’に沿ってフィルム片に分離され得る。波状切り込み線ｂ’は角を有さないため、カットする際の不要な破断が防止され得る。
【００３４】
隣り合う上記波状切り込み線ｂ’の間隔は、好ましくは０．１ｍｍ〜５ｍｍであり、より好ましくは０．２ｍｍ〜３ｍｍであり、さらに好ましくは０．３ｍｍ〜１ｍｍである。
【００３５】
上記波状切り込み線ｂ’に形成されたＩ字状切り込み線Ｃの長さは、好ましくは０．１ｍｍ〜２ｍｍであり、より好ましくは０．２ｍｍ〜１ｍｍである。
【００３６】
上記波状切り込み線ｂ’の幅Ｗｂ’（図８の幅Ｗｂ’）は、好ましくは２ｍｍ〜６ｍｍであり、より好ましくは３ｍｍ〜５ｍｍである。
【００３７】
上記仮想波状１本線の高さｈｂ’（図８の高さｈｂ’）は、好ましくは０．１ｍｍ〜１５ｍｍであり、より好ましくは０．２ｍｍ〜１０ｍｍであり、さらに好ましくは０．３ｍｍ〜５ｍｍである。
【００３８】
上記仮想波状１本線の波長Ｌは、１．５ｍｍ〜２０ｍｍであり、より好ましくは２ｍｍ〜１５ｍｍであり、さらに好ましくは２ｍｍ〜１０ｍｍである。
【００３９】
長尺状の易カットフィルムを構成する材料の例としては、上記Ａ項で説明した樹脂フィルムが挙げられる。
【００４０】
長尺状の易カットフィルムもまた、幅方向端部の片面において、長さ方向全域または長さ方向の一部に、粘着部を有していてもよい。該粘着部のＳＵＳ板に対する粘着力は、好ましくは５Ｎ／１０ｍｍ以上であり、より好ましくは１０Ｎ／１０ｍｍ〜２０Ｎ／１０ｍｍである。
【００４１】
上記長尺状の易カットフィルムは、任意の適切な方法により製造され得る。１つの実施形態においては、上記長尺状易カットフィルムは、長尺状の樹脂フィルムを準備し、該樹脂フィルムを長さ方向に搬送しながら、所定の位置に、刃型を用いて上記ミシン目を形成することにより、製造される。刃型としては、例えば、ミシン目の形状に対応する突起刃を備えた平板状の刃型、ミシン目の形状に対応する突起刃を備えたロール状の刃型等が挙げられる。
【００４２】
上記Ａ項で説明した枚葉の易カットフィルムは、上記のようにして得られた長尺状の易カットフィルムを、ミシン目に沿って分離することにより、得られ得る。
【産業上の利用可能性】
【００４３】
本発明の易カットフィルムは、ラッピングフィルムとして、青果等の包装に好適に使用され得る。
【符号の説明】
【００４４】
１０  易カットフィルム
１１  切り込み線
１００  長尺状易カットフィルム
【図１】
2019064625.tif 000003
【図２】
2019064625.tif 000004
【図３】
2019064625.tif 000005
【図４】
2019064625.tif 000006
【図５】
2019064625.tif 000007
【図６】
2019064625.tif 000008
【図７】
2019064625.tif 000009
【図８】
2019064625.tif 000010